(57)【特許請求の範囲】
【請求項１】
パチンコ機本体（２）の前面側に固定される前後二分割構造の固定体（Ｓ1)と、当該固定体（Ｓ1)の前後対向間隔内に介在されて固定体（Ｓ1 ）内の前後方向に回動可能に挿通支持されたハンドル軸（１）に取付けられるハンドル本体（Ｈ1)とから成って、遊戯球の弾発力の調節を行うためのハンドルであって、
前記ハンドル本体（Ｈ1)は、前記固定体（Ｓ1)を構成する手前側固定体（Ｓ1a) と奥側固定体（Ｓ1b) との間に配置されて前記ハンドル軸（１）に連結された円盤状の主ハンドル体（Ｈ1a) と、前記手前側固定体（Ｓ1a) と前記奥側固定体（Ｓ1b) との間に前記主ハンドル体（Ｈ1a) と対向した状態で配置されて、前記ハンドル軸（１）に自由回転可能に嵌合された同じく円盤状の副ハンドル体（Ｈ1b) とで構成されて、結合機構（Ｊ1)により分離可能に結合され、
前記主ハンドル体（Ｈ1a) の外周部には、第１指掛け部（Ｆ1)の第１分割部分（Ｆ1a) と第２指掛け部（Ｆ2)とが周方向に所定間隔をおいて形成されて、前記第１分割部分（Ｆ1a) には、前記副ハンドル体（Ｈ1b) に対する前記主ハンドル体（Ｈ1a) の復帰方向の回動位置を規定するストッパ体（１２）が形成されており、
前記副ハンドル体（Ｈ1b) の外周部には、前記手前側固定体（Ｓ1a) の外周面との間に硬貨（Ｃ）の挿入を可能とする硬貨挿入空間（１９）が形成されるように、第１指掛け部（Ｆ1)の第２分割部分（Ｆ1b) が形成されて、当該第２分割部分（Ｆ1b) には、前記主ハンドル体（Ｈ1a) のストッパ体（１２）を当接させるための被当接体（１７）が形成されており、
前記主ハンドル体（Ｈ1a) と副ハンドル体（Ｈ1b) とを互いに円周方向の所定位置で結合させ、且つ分離させるための前記結合機構（Ｊ1)は、主ハンドル体（Ｈ1a) の半径内外方向に傾動可能なように、基端部を前記第１指掛け部（Ｆ1)の第２分割部分（Ｆ1b) 内に連結支持されたレバー（１５）と、当該レバー（１５）の先端部に形成された嵌合体（１４）を嵌合させるために、前記主ハンドル体（Ｈ1a) の第１指掛け部（Ｆ1)の第１分割部分（Ｆ1a) に形成された嵌合凹部（１３）と、前記嵌合体（１４）と前記嵌合凹部（１３）との嵌合を保持するように前記レバー（１５）を常に付勢するバネ（１８）とを備え、
前記レバー（１５）の嵌合体（１４）と前記嵌合凹部（１３）との嵌合状態で、前記主ハンドル体（Ｈ1a) と副ハンドル体（Ｈ1b) とが結合状態で前記ハンドル軸（１）と一体状に回動可能とされ、前記主ハンドル体（Ｈ1a) と副ハンドル体（Ｈ1b) との「普通打ち状態」とする所定回動位置で前記硬貨挿入空間（１９）に硬貨（Ｃ）を挿入して、前記副ハンドル体（Ｈ1b) を前記手前側固定体（Ｓ1a) 側に位置決め状態で固定化保持すると共に、前記レバー（１５）を解離状態に傾動させて前記嵌合体（１４）を前記嵌合凹部（１３）から離脱させた状態にして、前記主ハンドル体（Ｈ1a) を前記ハンドル軸（１）と一体状にして回動可能にして「右打ち状態」とする所定回動位置に変位できるように構成したことを特徴とするパチンコ機におけるハンドル。
【発明の詳細な説明】
【０００１】
【発明の属する技術分野】
本発明は、遊戯状態に応じて弾発力を変えるタイプのパチンコ機におけるハンドルに関するものであり、更に詳しくは、普通打ち時の位置を記憶した状態で弾発力の調整ができて、普通打ちに戻った際に、その位置の調整を不要にしたハンドルに関するものである。
【０００２】
【従来の技術】
パチンコ機の機種の中には、遊戯状態に応じて弾発力を変える必要のあるものがある。例えば、第３種と称される遊戯機があり、この機種では、特別装置作動領域に入賞することで権利が発生し、その権利発生中に３種始動口に入賞すると、大入賞口が開放されて大量の入賞が発生し、これにより多くの賞品球が得られるように構成されている。
【０００３】
このような機種においては、権利発生中において再度特別装置作動領域に入賞すると、獲得した権利が消滅するように構成されているために、一般的な機械では、特別装置作動領域は遊戯盤面の中央部又は左寄りに設けられ、３種始動口並びに大入賞口は盤面右寄りに設けてある。従って、通常状態では、盤面のほぼ中央部を遊戯球が流下するようにねらって発射ハンドルを操作するが、いったん権利が発生すると遊戯盤の右側をねらうことになる。この場合において、初心者であっても、３種始動口並びに大入賞口への入賞が容易になし得るように、操作ハンドルを最大限に回した状態で３種始動口並びに大入賞口へ入賞し易くなるように構成されている。
【０００４】
このように、権利発生後の大当たり遊戯中は、ハンドルを最大限まで回動させればよく、初心者でもハンドルの調整に苦心することはない。しかしながら、大当たり遊戯が終了した後は、前記特別装置作動領域に遊戯球が流下する通常の位置にハンドルを戻す必要があり、新たに弾発力を調整する必要があった。そして、新たな弾発力を調整する操作は、手間がかかり、しかも所定量の無駄玉が消費されるために、遊戯客を不愉快な気分にしてしまうこともあった。
【０００５】
【発明が解決しようとする課題】
本発明の課題は、遊戯状態において弾発力を変える必要のあるパチンコ機において、弾発力を変える際に普通打ち時の位置を記憶可能にして、普通打ちに戻った際に、その位置を調整し直す必要をなくすことである。
【０００６】
【課題を解決するための手段】
上記課題を解決するために本発明の採用した手段は、パチンコ機本体の前面側に固定される前後二分割構造の固定体と、当該固定体の前後対向間隔内に介在されて固定体内の前後方向に回動可能に挿通支持されたハンドル軸に取付けられるハンドル本体とから成って、遊戯球の弾発力の調節を行うためのハンドルであって、前記ハンドル本体は、前記固定体を構成する手前側固定体と奥側固定体との間に配置されて前記ハンドル軸に連結された円盤状の主ハンドル体と、前記手前側固定体と前記奥側固定体との間に前記主ハンドル体と対向した状態で配置されて、前記ハンドル軸に自由回転可能に嵌合された同じく円盤状の副ハンドル体とで構成されて、結合機構により分離可能に結合され、前記主ハンドル体の外周部には、第１指掛け部の第１分割部分と第２指掛け部とが周方向に所定間隔をおいて形成されて、前記第１分割部分には、前記副ハンドル体に対する前記主ハンドル体の復帰方向の回動位置を規定するストッパ体が形成されており、前記副ハンドル体の外周部には、前記手前側固定体の外周面との間に硬貨の挿入を可能とする硬貨挿入空間が形成されるように、第１指掛け部の第２分割部分が形成されて、当該第２分割部分には、前記主ハンドル体のストッパ体を当接させるための被当接体が形成されており、前記主ハンドル体と副ハンドル体とを互いに円周方向の所定位置で結合させ、且つ分離させるための前記結合機構は、主ハンドル体の半径内外方向に傾動可能なように、基端部を前記第１指掛け部の第２分割部分内に連結支持されたレバーと、当該レバーの先端部に形成された嵌合体を嵌合させるために、前記主ハンドル体の第１指掛け部の第１分割部分に形成された嵌合凹部と、前記嵌合体と前記嵌合凹部との嵌合を保持するように前記レバーを常に付勢するバネとを備え、前記レバーの嵌合体と前記嵌合凹部との嵌合状態で、前記主ハンドル体と副ハンドル体とが結合状態で前記ハンドル軸と一体状に回動可能とされ、前記主ハンドル体と副ハンドル体との「普通打ち状態」とする所定回動位置で前記硬貨挿入空間に硬貨を挿入して、前記副ハンドル体を前記手前側固定体側に位置決め状態で固定化保持すると共に、前記レバーを解離状態に傾動させて前記嵌合体を前記嵌合凹部から離脱させた状態にして、前記主ハンドル体を前記ハンドル軸と一体状にして回動可能にして「右打ち状態」とする所定回動位置に変位できるように構成したことを特徴としている。
【０００７】
例えば、「普通打ち状態」から「右打ち状態」に移行する場合には、硬貨挿入空間に硬貨を挿入することにより結合機構を解除して、副ハンドル体を手前側固定体に固定した状態で、主ハンドル体のみを時計方向に最大限に回せばよい。このように、「普通打ち状態」において、硬貨を介して副ハンドル体を手前側固定体に固定することにより、遊戯者特有のハンドル本体の「普通打ち位置」を記憶させることになる。
【０００８】
また、「右打ち状態」から「普通打ち状態」に戻す場合には、主ハンドル体をそのまま開放させると、該主ハンドル体は、初期位置に戻ろうとする付勢力により反時計方向に回動して、そのストッパ体が、副ハンドル体に設けられた被当接体に当接して、副ハンドル体に対する主ハンドル体の回動方向の位置が定められ、主ハンドル体（ハンドル本体）は、微妙な調整をしないで、直前の「普通打ち位置」に復元される。その後に、硬貨挿入空間に挿入された硬貨を除去して、手前側固定体に対する副ハンドル体の固定を解除すると同時に、結合機構を介して主ハンドル体に対して副ハンドル体を一体に結合させる。これにより、主ハンドル体と副ハンドル体とは、一体に結合された状態で両方向に回動可能となる。
【０００９】
【発明の実施の形態】
以下、実施例を挙げて本発明を更に詳細に説明する。図１は、本発明の第１実施例のハンドルＨＤ1 の分解斜視図であり、図２は、同じく全体斜視図であり、図３は、同じく縦断面図であり、図４は、結合機構Ｊ1 を介して主ハンドル体Ｈ1aと副ハンドル体Ｈ1bとが一体に結合された状態の部分拡大断面図であり、図５は、結合機構Ｊ1 の解除によって主ハンドル体Ｈ1aと副ハンドル体Ｈ1bとが分離されて、硬貨Ｃを介して副ハンドル体Ｈ1bが固定体Ｓ1 に固定された状態の部分拡大断面図である。図１ないし図３において、本発明に係るハンドルＨＤ1 は、時計方向に回動するように付勢されているハンドル軸１に一体に取付けられるハンドル本体Ｈ1 と、パチンコ機本体２に固定される固定体Ｓ1 とで構成される。そして、前記ハンドル本体Ｈ1 は、前記ハンドル軸１に一体に取付けられる主ハンドル体Ｈ1aと、該ハンドル軸１に対して回動可能に支持される副ハンドル体Ｈ1bとで構成される。また、前記固定体Ｓ1 は、前記ハンドル本体Ｈ1 を介して手前側固定体Ｓ1aと奥側固定体Ｓ1bとに分離されているが、いずれもパチンコ機本体２の前面側に固定される。
【００１０】
即ち、図１及び図３に示されるように、手前側固定体Ｓ1a及び奥側固定体Ｓ1bは、いずれもカップ状に形成されて、奥側固定体Ｓ1bの内周面には、その中心部に挿通されるハンドル軸１と平行になり、しかも該ハンドル軸１の軸心を中心にして同一円周上に配置された複数本（実施例では３本）の連結用円筒体３が突設されていると共に、手前側固定体Ｓ1aにおける前記連結用円筒体３に対応する部分には、それぞれ連結用円柱体４が突設され、該連結用円柱体４の先端部が前記連結用円筒体３の先端の嵌合凹部に嵌合されて、この嵌合部分において、円筒体３と円柱体４とがビス５を介して一体に連結されることによって、手前側固定体Ｓ1aと奥側固定体Ｓ1bとが一体に連結される。この手前側固定体Ｓ1aと奥側固定体Ｓ1bとが一体に連結された状態では、両者の間に所定の隙間が形成され、この隙間部分に前記ハンドル本体Ｈ1 が配設される。
【００１１】
ハンドル本体Ｈ1 は、従来の一体型のハンドル本体を前記ハンドル軸１に対して垂直な面によって２分割した構成であって、主ハンドル体Ｈ1aと副ハンドル体Ｈ1bとで構成される。主ハンドル体Ｈ1aと副ハンドル体Ｈ1bは、いずれも円盤状を呈していて、その中心部に前記ハンドル軸１が挿通される軸挿通孔６，７が設けられている。主ハンドル体Ｈ1aは、ハンドル軸１と一体に回動し得るように、該ハンドル軸１に取付けられ、副ハンドル体Ｈ1bは、ハンドル軸１に対して回動可能に支持される。ハンドル軸１における主ハンドル体Ｈ1a及び副ハンドル体Ｈ1bに挿通される挿通部分は、円柱の一部を平面状に削いだ形状になっており、主ハンドル体Ｈ1aの軸挿通孔６は、ハンドル軸１の挿通部分の形状に対応して非円形になっているが、副ハンドル体Ｈ1bの軸挿通孔７は、円形である。また、副ハンドル体Ｈ1bの軸挿通孔７には、円筒状の軸受８が嵌合され、この軸受８の孔部にハンドル軸１の挿通部が挿通されて、ハンドル軸１に対して副ハンドル体Ｈ1bが回転し易い構成になっている。
【００１２】
また、図３に示されるように、この主ハンドル体Ｈ1aと副ハンドル体Ｈ1bとは、前記した手前側固定体Ｓ1aと奥側固定体Ｓ1bとの間に形成される隙間部分に組み込まれる。主ハンドル体Ｈ1aの外側面は、ハンドル軸１の段差部１ａに当接し得るようになっており、ハンドル軸１の先端部は、手前側固定体Ｓ1aの中心部に設けられた支持筒９の内部に挿入支持されている。なお、主ハンドル体Ｈ1a及び副ハンドル体Ｈ1bのいずれにおいても、前記した複数本の連結用円筒体３を挿通し得る一対の円弧孔１１が設けられ、各円弧孔１１の形成端にいずれかの連結用円筒体３が当接することにより、ハンドル本体Ｈ1 の左右の回動端が規制される構成になっている。なお、図１及び図３において、１０は、主ハンドル体Ｈ1a及び副ハンドル体Ｈ1bの外側面に設けられた環状の回動案内体を示す。
【００１３】
また、図１及び図２に示されるように、ハンドル本体Ｈ1 は、その全体からみると第１及び第２の各指掛け部Ｆ1,Ｆ2 を備えているが、第１指掛け部Ｆ1 は、主ハンドル体Ｈ1aと副ハンドル体Ｈ1bとの双方に分断して設けられ、第２指掛け部Ｆ2 は、主ハンドル体Ｈ1aに設けられている。また、組付状態においては、第１及び第２の各指掛け部Ｆ1,Ｆ2 は、いずれも主ハンドル体Ｈ1aと副ハンドル体Ｈ1bとの間に跨がった状態となり、しかも手前側固定体Ｓ1aの部分まで及んで配置されている。そして、副ハンドル体Ｈ1bに設けられた第１指掛け部Ｆ1 の第２分割部分Ｆ1bと、主ハンドル体Ｈ1aにおける該第２分割部分Ｆ1bと対応する第１分割部分Ｆ1aとに、主ハンドル体Ｈ1aと副ハンドル体Ｈ1bとを解除可能に結合するための結合機構Ｊ1 が設けられている。
【００１４】
次に、上記結合機構Ｊ1 について説明する。前記第１指掛け部Ｆ1 は、主ハンドル体Ｈ1aと副ハンドル体Ｈ1bとに分断して設けられ、各ハンドル体Ｈ1a，Ｈ1bに設けられた第１及び第２の各分割部分Ｆ1a，Ｆ1bが合体して、第１指掛け部Ｆ1 を構成している。即ち、第１指掛け部Ｆ1 における主ハンドル体Ｈ1aの側に設けられた第１分割部分Ｆ1aには、主ハンドル体Ｈ1aの半径方向に沿い、しかもハンドル軸１の軸方向に沿ったストッパ面１２ａを備えたストッパ体１２が設けられ、該ストッパ面１２ａと直交する面には、後述の嵌合体１４が嵌合される嵌合凹部１３が設けられている。一方、第１指掛け部Ｆ1 における副ハンドル体Ｈ1bの側に設けられた第２分割部分Ｆ1bには、先端部下面に嵌合体１４を備えたレバー１５が副ハンドル体Ｈ1bの肉厚方向に沿って内装配置され、該レバー１５は、手前側が基端部となって、当該基端部が支持ピン１６を介して回動可能に支持されている。
【００１５】
また、第１指掛け部Ｆ1 の副ハンドル体Ｈ1bの側の第２分割部分Ｆ1bには、前記ストッパ体１２のストッパ面１２ａが当接する被当接面１７ａ（図６参照）を備えた被当接体１７が突設されている。なお、レバー１５の先端部は、その上方に配置された圧縮バネ１８によって下方に付勢されている。また、図５及び図６に示されるように、レバー１５のほぼ中央部から基端に至る部分は、他の部分よりも遙に幅広に形成されて、硬貨当接板部１５ａとなっていて、該硬貨当接板部１５ａの下面は、第１指掛け部Ｆ1 の副ハンドル体Ｈ1bの側の第２分割部分Ｆ1bの下面よりも常に下方に配置される構成になっていて、該硬貨当接板部１５ａの下面と手前側固定体Ｓ1aの上面との間の隙間が硬貨挿入空間１９となっている。
【００１６】
そして、前記硬貨挿入空間１９に硬貨Ｃが挿入されていない状態では、図４に示されるように、レバー１５の先端部下面に取付けられた嵌合体１４は、第１指掛け部Ｆ1 の主ハンドル体Ｈ1a側の第１分割部分Ｆ1aに設けられた嵌合凹部１３に嵌合されて、圧縮バネ１８により、この嵌合状態が保持されて、主ハンドル体Ｈ1aと副ハンドル体Ｈ1bとが一体に結合される。このため、副ハンドル体Ｈ1bは、主ハンドル体Ｈ1aと一体となって回動する。一方、前記硬貨挿入空間１９に硬貨Ｃを挿入すると、図５に示されるように、支持ピン１６を中心にしてレバー１５が回動して、前記嵌合体１４は前記嵌合凹部１３から抜け出て、主ハンドル体Ｈ1aと副ハンドル体Ｈ1bとの結合が解除されると同時に、副ハンドル体Ｈ1bが手前側固定体Ｓ1aに固定される。このため、主ハンドル体Ｈ1aと副ハンドル体Ｈ1bとが分離されて、主ハンドル体Ｈ1aのみが回動可能となる。なお、図３において、２０は、ハンドルＨＤ1 をパチンコ機本体２の前面に装着するためのブラケットを示す。
【００１７】
引き続いて、図７を参照にして、上記ハンドルＨＤ1 の作用について説明する。図７の上段（Ａ）には、結合機構Ｊ1 を介して主ハンドル体Ｈ1aと副ハンドル体Ｈ1bとが一体に結合された状態におけるハンドル本体Ｈ1 の初期位置、通常打ち位置、右打ち位置、及び主ハンドル体Ｈ1aの開放状態の位置が順次示されている。また、図７の下段（Ｂ）には、結合機構Ｊ1 を解除して主ハンドル体Ｈ1aと副ハンドル体Ｈ1bとを分離した状態における上記と同様のハンドル本体Ｈ1 の各位置が順次示されている。
【００１８】
そして、特別装置作動領域を狙い、殆どの球が遊戯盤面の左側を流下する「普通打ち状態」から、遊戯球が３種始動口及び大入賞口に入賞し易くするためにハンドル本体Ｈ1 を最大限に回して行う「右打ち状態」にするには、「普通打ち状態」において、前記硬貨挿入空間１９に硬貨Ｃを挿入して、結合機構Ｊ1 のレバー１５を上方に回動させることにより、主ハンドル体Ｈ1aと副ハンドル体Ｈ1bとの結合を解除して、副ハンドル体Ｈ1bを手前側固定体Ｓ1aに固定する（図５参照）。この状態においては、図７の下段（Ｂ）に示されるように、主ハンドル体Ｈ1aのみが回動可能になって、この主ハンドル体Ｈ1aを最大限に時計方向に回すと、「右打ち状態」となる。ここで、「普通打ち状態」において、硬貨挿入空間１９に硬貨Ｃを挿入して、副ハンドル体Ｈ1bを手前側固定体Ｓ1aに固定することにより、遊戯者特有のハンドル本体Ｈ1 の「普通打ち位置」を記憶させておくことになる。
【００１９】
また、「右打ち状態」から「普通打ち状態」に戻すには、主ハンドル体Ｈ1aをそのまま開放させると、該主ハンドル体Ｈ1aは、「初期位置」に戻ろうとする付勢力により反時計方向に回動して、そのストッパ体１２が、副ハンドル体Ｈ1bの被当接体１７に当接して、副ハンドル体Ｈ1bに対する主ハンドル体Ｈ1aの回動方向の位置が定められる。これにより、主ハンドル体Ｈ1aは、微妙な調整を全く要しないで、記憶されている直前の「普通打ち状態」の位置に戻される。その後において、硬貨挿入空間１９に挿入されている硬貨Ｃを抜き出すと、手前側固定体Ｓ1aに対する副ハンドル体Ｈ1bの固定が解除されると同時に、結合機構Ｊ1 を介して主ハンドル体Ｈ1aと副ハンドル体Ｈ1bとが一体に結合され、この結合状態で時計方向及び反時計方向の双方に回動可能となる。このように、「普通打ち状態」から「右打ち状態」に移行する際に、主ハンドル体Ｈ1aと副ハンドル体Ｈ1bとを分離させて、副ハンドル体Ｈ1bを「普通打ち位置」に固定しておくために、遊戯者が経験により取得した最良の「普通打ち位置」を記憶させておくことができ、「右打ち状態」から「普通打ち状態」に復帰する際には、その「普通打ち位置」を正確に再現できる。
【００２０】
これに対して、主ハンドル体Ｈ1aと副ハンドル体Ｈ1bとを一体に結合したままであると、図７の上段（Ａ）に示されるように、「普通打ち状態」から「右打ち状態」に移行する際には、直前の「普通打ち位置」は完全に消去される。また、「右打ち状態」においてハンドル本体Ｈ1 を開放させると、反時計方向に回動しようとする付勢力によって、このハンドル本体Ｈ1 は、「初期位置」まで戻される。
【００２１】
次に、本発明の別の実施例について説明する。図８は、本発明の第２実施例のハンドルＨＤ2 の斜視図であり、図９は、同じく分解斜視図であり、図１０は、結合機構Ｊ2 の部分を破断したハンドルＨＤ2 の側面図であり、図１１は、主ハンドル体Ｈ2aと副ハンドル体Ｈ2bとが結合された状態の部分拡大断面図であり、図１２は、副ハンドル体Ｈ2bが手前側固定体Ｓ2aに固定された状態の部分拡大断面図である。なお、第２実施例のハンドルＨＤ2 と前記ハンドルＨＤ1 とは、主ハンドル体Ｈ2aと副ハンドル体Ｈ2bとを解除可能に結合するための結合機構が異なるのみであって、他の部分は互いに同一構成である。従って、上記したハンドルＨＤ1 と同一又は対応する部分には、同一又は対応符号を付し、重複説明を避けて、本実施例独自の部分についてのみ詳細に説明する。図８及び図９に示されるように、指掛け部Ｆ'1は、主ハンドル体Ｈ2aと副ハンドル体Ｈ2bに分断して設けられているが、指掛け部Ｆ2 は、主ハンドル体Ｈ2aに設けられて、いずもれ主ハンドル体Ｈ2aと副ハンドル体Ｈ2bに跨いだ形状となっていて、手前側固定体Ｓ2aの部分まで及んでいる。
【００２２】
前記指掛け部Ｆ'1の主ハンドル体側部分Ｆ'1a には、主ハンドル体Ｈ2aの半径方向に沿ったストッパ面２１ａを備えたストッパ体２１が設けられている。また、指掛け部Ｆ'1の副ハンドル体側部分Ｆ'1ｂは、前方に突出した部分の一方のコーナー部が欠落された形状になっていて、当該欠落部に前記ストッパ体２１が入り込む構成になっていて、当該欠落部の側方の部分は、前記ストッパ体２１に当接する被当接体部２２となっている。
【００２３】
主ハンドル体Ｈ2aと副ハンドル体Ｈ2bとを解除可能に結合するための結合機構Ｊ2 は、前記指掛け部Ｆ'1の副ハンドル体側部分Ｆ'1ｂに内装されている。この結合機構Ｊ2 は、副ハンドル体Ｈ2bを手前側固定体Ｓ2aに固定する機能を兼用している。即ち、レバー２３の中央部は、指掛け部Ｆ'1の内部において支点ピン２４により回動可能に支持され、その上端部は、指掛け部Ｆ'1に設けられた長孔３０から上方に所定長だけ突出して、当該突出部に操作片２５が連結ピン２６を介して連結されていると共に、その下端部には、係合体２７が連結ピン２８を介して連結されている。操作片２５及び係合体２７における連結ピン２６，２８と連結される部分は上下方向に沿った長孔となっていて、レバー２３の回動により、各連結ピン２６，２８は、長孔に沿って移動する構成になっている。この係合体２７の下端部と手前側端部とには、それぞれ第１及び第２の各係合部２７ａ，２７ｂが形成されていて、第１係合部２７ａは、主ハンドル体Ｈ2aの外周部に設けられた係合溝２９に係合し、第２係合部２７ｂは、後述のＬ字形固定片３１の奥側面に設けられた係合溝３１ａに係合するようになっている。
【００２４】
前記Ｌ字形固定片３１の下端部には、固定部３１ｂが設けられ、該固定部３１ｂが、手前側固定体Ｓ2aの内周面の開口に臨んだ部分に密着することにより、副ハンドル体Ｈ2bが手前側固定体Ｓ2aに解除可能に固定されるようになっている。このＬ字形固定片３１の上端部の奥側の面は、テーパー面３１ｃに形成されていると共に、このテーパー面３１ｃの途中に、係合体２７の第２係合部２７ｂと係合する前記係合溝３１ａが設けられている。また、Ｌ字形固定片３１は、その上方に配設された圧縮バネ３２の復元力によって、下方に付勢されている。
【００２５】
このため、図１０及び図１１に示されるように、操作片２５を手前側に引き込んでおくと、係合体２７の第１係合部２７ａが、主ハンドル体Ｈ2aの外周部に設けられた係合溝２９に係合して、該主ハンドル体Ｈ2aと副ハンドル体Ｈ2bとが一体に結合される。この状態において、操作片２５を奥側に押し込むと、係合体２７は、手前側に移動させられて、その第１係合部２７ａが前記係合溝２９から脱出すると共に、その第２係合部２７ｂがＬ字形固定片３１のテーパー面３１ｃを押圧する。これにより、図１２に示されるように、テーパー面３１ｃに沿い、しかも下方を向いた前記押圧力の分力が発生し、当該分力によりＬ字形固定片３１が上方に押し上げられて、その下端部の固定部３１ｂが、手前側固定体Ｓ2aの内周面の開口に臨んだ部分に押圧されると共に、係合体２７の第２係合部２７ｂがＬ字形固定片３１の係合溝３１ａに挿入されて、両者が係合することにより、Ｌ字形固定片３１の固定部３１ｂによる前記押圧状態が維持される。
【００２６】
このため、「普通打ち状態」から「右打ち状態」にする場合には、前記操作片２５を奥側に押し込んで、副ハンドル体Ｈ2bを手前側固定体Ｓ2aに固定することにより、その遊戯者の「普通打ち位置」を記憶させた状態で、主ハンドル体Ｈ2aを最大限に時計方向に回すことにより、「右打ち状態」にできる。また、「右打ち状態」から「普通打ち状態」に戻すには、主ハンドル体Ｈ2aを開放させるのみでよく、これにより初期位置に戻ろうとする付勢力により、主ハンドル体Ｈ2aが反時計方向に回動して、そのストッパ体２１が、副ハンドル体Ｈ2bの被当接体部２２に当接して、主ハンドル体Ｈ2a（ハンドル本体Ｈ2 ）は、直前の「普通打ち位置」に復帰される。この状態で、操作片２５を手前側に引き込むと、手前側固定体Ｓ2aに対する副ハンドル体Ｈ2bの固定が解除されると同時に、主ハンドル体Ｈ2aと副ハンドル体Ｈ2bとが一体に結合される。
【００２７】
次に、本発明の更に別の実施例について説明する。図１３は、本発明の第３実施例のハンドルＨＤ3 の斜視図であり、図１４は、同じく一部を破断した側面図であり、図１５は、同じく分解斜視図であり、図１６は、初期位置におけるハンドルＨＤ3 の横断面図である。前記各ハンドルＨＤ1,ＨＤ2 は、いずれも最も手前側の部分が固定部となっているが、第３実施例のハンドルＨＤ3 は、最も手前側の部分がハンドル本体Ｈ3 となっており、この点において、両者は、基本構成が異なる。
【００２８】
ハンドルＨＤ3 は、ハンドル軸１に取付けられるハンドル本体Ｈ3 と、パチンコ機本体２の前面に取付けられる固定体Ｓ3 とで構成される。ハンドル本体Ｈ3 は、最も手前側に配置される主ハンドル体Ｈ3aと、その奥側に配置される副ハンドル体Ｈ3bとに分割されている。主ハンドル体Ｈ3aと、副ハンドル体Ｈ3bと、固定体Ｓ3 との３者は、手前側からこの順序で重ね合わせられて、ハンドル軸１は、固定体Ｓ3 の中心部の軸挿通孔（図示せず）、副ハンドル体Ｈ3bの中心部に嵌合された軸受８、及び主ハンドル体Ｈ3aにおける副ハンドル体Ｈ3bの対向する部分に設けられた軸挿通孔（図示せず）に挿通されて、その自由端部の環状溝３３に止輪３４が嵌め込まれることにより、前記３者は一体に組み付けられている。そして、主ハンドル体Ｈ3aは、ハンドル軸１と一体に回転するが、副ハンドル体Ｈ3bは、ハンドル軸１に対して回動可能に支持されている。
【００２９】
副ハンドル体Ｈ3bには、上記と同様の一対の円弧孔１１が設けられていると共に、主ハンドル体Ｈ3aにおける副ハンドル体Ｈ3bの対向する部分に設けられた厚板体にも同様の一対の円弧孔（いずれも図示せず）が設けられ、固定体Ｓ3 の内周面には、複数本の回動規制ロッド３５が前記ハンドル軸１と平行に突設され、各回動規制ロッド３５が副ハンドル体Ｈ3bの円弧孔１１と、主ハンドル体Ｈ3aに設けられた一対の円弧孔とにそれぞれ挿通されている。
【００３０】
次に、副ハンドル体Ｈ3bを主ハンドル体Ｈ3aに解除可能に結合させるための結合機構Ｊ3 について説明する。この結合機構Ｊ3 は、副ハンドル体Ｈ3bを固定体Ｓ3 に固定する機能を兼用している。即ち、副ハンドル体Ｈ3bの外周面には、支持ブラケット３６が設けられ、係合体３７の基端部の二股状の支持部が、前記支持ブラケット３６の両側に嵌め込まれて、支持ピン３８を介して支持ブラケット３６に係合体３７が回動可能に支持されている。そして、図１３及び図１４に示されるように、係合体３７を手前側に倒して、該係合体３７の上端部の手前側に設けられた第１係合部３７ａを、主ハンドル体Ｈ3aに設けられた環状係合溝３９に係合させると、副ハンドル体Ｈ3bは主ハンドル体Ｈ3aに一体に結合されて、両ハンドル体Ｈ3a, Ｈ3bは、一体となって回動する。一方、図１４で２点鎖線で示されるように、前記係合体３７を奥側に押し倒して、その上端部の奥側に設けられた第２係合部３７ｂを固定体Ｓ3 の背面側部分に係合させると、該固定体Ｓ3 に対して副ハンドル体Ｈ3bが固定される。このように、副ハンドル体Ｈ3bの支持ブラケット３６に支持ピン３８を介して回動可能に支持された係合体３７を手前側、或いは奥側に倒すことにより、副ハンドル体Ｈ3bを主ハンドル体Ｈ3a、或いは固定体Ｓ3 に固定できる。
【００３１】
また、副ハンドル体Ｈ3bの外周縁部であって、しかも手前側の部分には、円弧状の逃げ溝４１が設けられていると共に、主ハンドル体Ｈ3aにおける前記副ハンドル体Ｈ3bの逃げ溝４１と対応する部分には、ストッパ体４２が突設され、該ストッパ体４２は、前記逃げ溝４１に入り込んでいる。このため、副ハンドル体Ｈ3bが固定体Ｓ3 に固定されている状態において、主ハンドル体Ｈ3aのみを回動させることができる。また、前記逃げ溝４１における左端側の端面は、被当接面４１ａとなっていて、副ハンドル体Ｈ3bが固定体Ｓ3 に固定されている状態において、主ハンドル体Ｈ3aを開放させると、初期位置に戻ろうとする主ハンドル体Ｈ3aの付勢力によって、該主ハンドル体Ｈ3aは、そのストッパ体４２が逃げ溝４１の被当接面４１ａに当接するまで反時計方向に回動する。なお、図１３、図１５及び図１６において、Ｆは、主ハンドル体Ｈ3aに設けられた指掛け部を示す。
【００３２】
このため、「普通打ち状態」から「右打ち状態」にする場合には、前記係合体３７を奥側に倒して、副ハンドル体Ｈ3bを固定体Ｓ3 に固定することにより、その遊戯者の「普通打ち位置」を記憶させた状態で、主ハンドル体Ｈ3aを最大限に時計方向に回すことにより、「右打ち状態」にできる。また、「右打ち状態」から「普通打ち状態」に戻すには、主ハンドル体Ｈ3aを開放させるのみでよく、これにより初期位置に戻ろうとする主ハンドル体Ｈ3aの付勢力により、該主ハンドル体Ｈ3aが反時計方向に回動して、そのストッパ体４２が、副ハンドル体Ｈ3bの逃げ溝４１の被当接面４１ａに当接して、主ハンドル体Ｈ3a（ハンドル本体Ｈ3)は、直前の「普通打ち位置」に復帰される。この状態で、係合体３７を手前側に倒すと、固定体Ｓ3 に対する副ハンドル体Ｈ3bの固定が解除されると同時に、主ハンドル体Ｈ3aと副ハンドル体Ｈ3bとが一体に結合されて、両ハンドル体Ｈ3a, Ｈ3bは、一体となって回動可能となる。
【００３３】
上記した第２及び第３の実施例の各ハンドルＨＤ2,ＨＤ3 においては、結合機構Ｊ2,Ｊ3 によって、副ハンドル体Ｈ2b，Ｈ3bを固定体Ｓ2,Ｓ3 に固定すると、主ハンドル体Ｈ2a，Ｈ3aと副ハンドル体Ｈ2b，Ｈ3bとの結合が解除され、また逆に、副ハンドル体Ｈ2b，Ｈ3bを固定体Ｓ2,Ｓ3 から離すと、主ハンドル体Ｈ2a，Ｈ3aと副ハンドル体Ｈ2b，Ｈ3bとが結合される関係にあるので、操作性が向上する利点がある。
【００３４】
なお、上記各ハンドルにおいて、その副ハンドル体が初期に自動復帰される構成にしてもよい。この構成により、「右打ち中」において、固定体に対する副ハンドル体の固定が外れたことに気付き易くなって、「右打ち」を終えて「普通打ち状態」に戻す場合における心の準備ができる利点がある。また、副ハンドル体を軽い摩擦力によって「普通打ち位置」に維持可能にしておくと、不意に硬貨等が外れて、固定体に対する副ハンドル体の固定が解かれても、この副ハンドル体の位置は維持されているために、副ハンドル体を「普通打ち位置」に再セットし易くなる利点がある。
【００３５】
また、上記各実施例では、いずれもハンドル本体は、その回動中心に対して垂直な面により主ハンドル体と副ハンドル体とに２分割されたリング状、或いは断面円形の半球状になった構成であって、主ハンドル体及び副ハンドル体は、いずれもハンドル軸に支持された構成であるが、副ハンドル体は、半リング状等の形状をしていて、固定体の内周面に支持される構成にしてもよい。なお、本発明は、３種以外の遊戯機であって、遊戯状態に応じて弾発力を変化させる必要のある遊戯機に対しても実施可能である。
【００３６】
【発明の効果】
本発明は、主ハンドル体と副ハンドル体とでハンドル本体が構成されて、主ハンドル体は、ハンドル軸に固定されて、副ハンドル体は、ハンドル軸に対して回動可能に支持してあるので、「普通打ち状態」から「右打ち状態」に移行する場合には、結合機構を解除して、硬貨を介して副ハンドル体を手前側固定体に固定した状態で、主ハンドル体のみを時計方向に最大限に回せばよい。このように「普通打ち状態」において、硬貨を介して副ハンドル体を固定体に固定することにより、遊戯者が経験により取得したハンドル本体の最良の「普通打ち位置」を記憶させることができる。
【００３７】
また、「右打ち状態」から「普通打ち状態」に戻す場合には、主ハンドル体をそのまま開放させると、該主ハンドル体は、初期位置に戻ろうとする付勢力により反時計方向に回動して、副ハンドル体の被当接体に主ハンドル体のストッパ体が当接することにより、副ハンドル体に対する主ハンドル体の回動方向の位置が定められるために、微妙な調整をしないでハンドル本体を直前の「普通打ち位置」に復元させることができる。このように、「右打ち」の前に、ハンドル本体の最良の「普通打ち位置」を記憶させておいて、「右打ち」を終えた後には、ハンドル本体を記憶させてある「普通打ち位置」に復元させられるので、「普通打ち状態」に戻った際に、その都度ハンドル本体の位置調整を行う必要がなくなる。
【図面の簡単な説明】
【図１】  本発明の第１実施例のハンドルＨＤ1 の分解斜視図である。
【図２】  同じく全体斜視図である。
【図３】  同じく縦断面図である。
【図４】  結合機構Ｊ1 を介して主ハンドル体Ｈ1aと副ハンドル体Ｈ1bとが一体に結合された状態の部分拡大断面図である。
【図５】  結合機構Ｊ1 の解除によって主ハンドル体Ｈ1aと副ハンドル体Ｈ1bとが分離されて、硬貨Ｃを介して副ハンドル体Ｈ1bが固定体Ｓ1 に固定された状態の部分拡大断面図である。
【図６】  結合機構Ｊ1 の部分の平面断面図である。
【図７】  主ハンドル体Ｈ1aと副ハンドル体Ｈ1bを一体にさせた場合（Ａ）と、両ハンドル体Ｈ1a，Ｈ1bとを分離させた場合（Ｂ）とにおけるハンドル操作の説明図である。
【図８】  本発明の第２実施例のハンドルＨＤ2 の斜視図である。
【図９】  同じく分解斜視図である。
【図１０】  結合機構Ｊ2 の部分を破断したハンドルＨＤ2 の側面図である。
【図１１】  主ハンドル体Ｈ2aと副ハンドル体Ｈ2bとが結合された状態の部分拡大断面図である。
【図１２】  副ハンドル体Ｈ2bが手前側固定体Ｓ2aに固定された状態の部分拡大断面図である。
【図１３】  本発明の第３実施例のハンドルＨＤ3 の斜視図である。
【図１４】  同じく一部を破断した側面図である。
【図１５】  同じく分解斜視図である。
【図１６】  初期位置におけるハンドルＨＤ3 の横断面図である。
【符号の説明】
Ｃ：硬貨
Ｆ1 ：第１指掛け部
Ｆ2 ：第２指掛け部
Ｆ1a：第１指掛け部の第１分割部分
Ｆ1b：第１指掛け部の第2 分割部分
ＨＤ1 〜ＨＤ3 ：ハンドル
Ｈ1 〜Ｈ3 ：ハンドル本体
Ｈ1a〜Ｈ3a：主ハンドル体
Ｈ1b〜Ｈ3b：副ハンドル体
Ｊ1 〜Ｊ3 ：結合機構
Ｓ1 〜Ｓ3 ：固定体
Ｓ1a：手前側固定体
Ｓ1b：奥側固定体
１：ハンドル軸
１２，２１，４２：ストッパ体
１３：嵌合凹部
１４：嵌合体
１５：レバー
１７：被当接体
１９：硬貨挿入空間
２２：被当接体部
４１ａ：逃げ溝の被当接面
【図１】
0004135820.tif 000002
【図２】
0004135820.tif 000003
【図３】
0004135820.tif 000004
【図４】
0004135820.tif 000005
【図５】
0004135820.tif 000006
【図６】
0004135820.tif 000007
【図７】
0004135820.tif 000008
【図８】
0004135820.tif 000009
【図９】
0004135820.tif 000010
【図１０】
0004135820.tif 000011
【図１１】
0004135820.tif 000012
【図１２】
0004135820.tif 000013
【図１３】
0004135820.tif 000014
【図１４】
0004135820.tif 000015
【図１５】
0004135820.tif 000016
【図１６】
0004135820.tif 000017